(57)【要約】【課題】    遊技台の前面枠は遊技機の多機能化によってそれに装着される機能部品の重量が増したので遊技機の模様替えの際の前面枠の脱着作業時その重量が余り負担にならないような蝶番構成であることが望まれる。【解決手段】  前面枠の左上蝶番部において蝶番のヒンジ軸３を通常の使用時には蝶番の荷重がかからない方向に軸導入開口部４を設けた軸受け半円凹部５に横方向から装着できるように蝶番部を構成し且前面枠を閉じた時にはそのヒンジ軸が軸受け半円凹部５にしっかりと保持されるように掛け爪部６を設けて．上部蝶番部の脱着操作を横方向から行えるようにし且前面枠を閉じている時は蝶番軸はしっかりと拘束されるような蝶番構造とした。【選択図】図２
2006181313.tif 000002
【特許請求の範囲】
【請求項１】
蝶番軸心部に軸受け半円凹部（（５）と．それに通ずる軸導入開口部（４）を設け．且軸心に対して同開口部と反対側に爪当たり突起部（７）を備えた蝶番受け金具（２）と．同じく蝶番軸心上にヒンジ軸（３）を固着し且前面枠（９）閉時に爪当たり突起部（７）に当接する位置に掛け爪部（６）を設けた前枠支持金具（８）とで構成される．遊技台の蝶番。
【請求項２】
請求項１において構成される遊技台の蝶番において．ヒンジ軸を軸の一部を半円形に切り欠いた切欠ヒンジ軸（３‘）とし．軸導入開口部の開口巾を同軸の切欠部のみが通過できる巾まで狭くした軸導入開口部（４’）とし軸受け半円凹部の抱き角を１８０度以上にしてなる．遊技台の蝶番。
【請求項３】
請求項１において構成される遊技台の蝶番に対して．ヒンジ軸（３）を蝶番受け金具（２‘）側に固着し．軸受け半円凹部（５’）と軸導入開口部（４“）を前枠支持金具（８‘）に設けてなる．遊技台の蝶番。
【発明の詳細な説明】
【技術分野】
【０００１】  本発明は遊技台の前面枠部を保持する装着蝶番の構造に関わる技術に関するものである。
【背景技術】
【０００２】パチンコ遊技台の前面枠の蝶番は開閉時のヒンジ部の役割だけでなく．遊技機としての性格上遊技盤面の取り替えを行う頻度が高く又その段取り替えは遊技機の休止時間を短くする為に手早く行う必要がある．従ってその遊技盤面を装着した前面枠の蝶番部は着脱が容易であることが望ましい。その前面枠の蝶番部の構造として従来多く採用されてきたものに．外枠の下部に設けた蝶番下受金具の軸芯と外枠の上部に取り付けた蝶番上受け金具の軸穴に．前面枠下部に取り付けた蝶番下部支持金具に設けた軸穴と前面枠上部に取り付けた前枠上支持金具の軸芯とを同一軸心上に合わせた状態で前面枠を上から落とし込む方式のものがある。この方式のものは構造は簡単であるが近年前面枠に装着される遊技機の本体機能部の重量が増してその重量を支えながら上下蝶番の軸心を同時に合わて装着することの作業性が悪くなって来たので．その対応策としてのパチンコ遊技台の蝶番部の改良品が色々考案されつつある。
以下参考文献例
【特許文献１】  特許公開２００３−１９０５４９
【特許文献２】  特許公開２００３−２０５１５２
【特許文献３】  特許公開２００３−２２０２５４
【特許文献４】  特許公開２００３−２５１０４１
【特許文献５】  特許公開２００４−２４２７４３
【発明の開示】
【発明が解決しようとする課題】
【０００３】  上記にも記したように遊技台の蝶番は着脱の作業性がよく且遊技台の防犯上の問題から蝶番軸心の保持剛性に優れていることが望ましいがその為には今日の様様な機能がついて重くなった前面枠の重さが余り負担にならないような構成の蝶番着脱構造であることが望ましい．更に当然のことながら安価であることが望ましいのでその構造は簡単であることが望ましい。
【課題を解決する為の手段】
【０００４】  前記のように重くなった前面枠の着脱作業を重さが余り負担にならないようにするには重さが支えられた状態で横方向から装着作業が行えるようにすれば良いが．横方向のガタツキは遊技機の性格上不都合なのでそのようなガタツキのない蝶番構成にする必要がある．しかし遊技台の前面枠の開き角度はほぼ１１０度以下であり従って前面枠開閉時上部蝶番部にかかる荷重は通常はその範囲方向に働くことと蝶番軸は前面枠が閉じている時のみにしっかりと固定されれば良い事を考慮して本発明品を考案した。
【発明の効果】
【０００５】    本発明によれば上部蝶番の装着作業は前面枠の重さは下部軸受け部で支えられた状態で横方向から行う事が出来るようにしたので装着の作業は容易であり．蝶番軸芯も前面枠を閉じた時には軸芯はしっかりと固定されるので防犯上も問題なく．且その為に構成する蝶番金具の構造は簡単であるので製作費も安価なものとすることが出来る。
【発明を実施する為の形態】
【０００６】  本発明を実施する為の形態は前面枠の上部蝶番のヒンジ軸を保持する穴側の形状を使用時即ち開閉時及び閉時に荷重の掛かる方向ではヒンジ軸と嵌合関係にある半円凹形とし使用時に荷重のかからない方向にヒンジ軸を導入する導入開口部を設け。且前面枠閉時にはヒンジ軸が軸受半円凹部にしっかりと固定されるようにヒンジ軸を半円凹部側に引き付ける為の突起部と掛け爪部を各構成金具に設けた。その具体的な形態を以下の実施例を示す図面を参照にして説明する。
【実施例１】
【０００７】    図１は本発明の実施例が遊技機本体に取り付けられた状態を示すもので。図２はその本発明品の上部蝶番部を上面から見たもので図３は同部を正面から見たものである．また図４はその蝶番を取り付けた前面枠を９０度開いた状態の上面図である．まずそれらの図によって本発明の構成を説明すると。外枠１の左上部に取り付けた蝶番受け金具２の蝶番軸心１１位置に軸受け半円凹部５を設けその金具の左少し斜め上方向から同半円凹部に通ずる軸導入開口部４を設け且蝶番軸心に関し同開口部と反対側に爪当たり突起部７を設ける．一方前面枠９の左上部に取り付けられた前枠支持金具８の蝶番軸心１１位置には軸径が軸受け半円凹部の円形部に嵌合するヒンジ軸３を固着し且図２に示すように前面枠を閉じた状態において上記蝶番受け金具２の爪当たり突起部７に当接する位置に掛け爪部６を設ける。尚前面枠下部の蝶番構成は従来の普及型と同様の下受け金具１３に取り付けた下部ヒンジ軸１０と下部支持金具１２の軸穴部の嵌め合いによるものとする。【０００８】  以上のように構成した蝶番によれば。前面枠を装着する時は先ず前面枠下部の蝶番部を装着しその下部蝶番部に前面枠の重量を持たせた状態で本発明による上部蝶番部のヒンジ軸３を蝶番受け金具２に設けた軸導入開口部４の左入り口側に位置を合わせて右方向に上部を移動させればヒンジ軸３は軸受け半円凹部５に嵌め合い状態に収まる．尚その際前面枠の姿勢が図４におけるように９０度位開いた状態であれば前面枠の上部蝶番部に懸かる荷重は矢印１４の方向でありヒンジ軸３は軸受け半円凹部５の半円形部にしっかり保持されることになる．又図２におけるように前面枠が閉じた状態では荷重の方向は矢印１５の方向であるので同様にヒンジ軸は軸受け半円凹部に収容されると共にこの位置では前枠支持金具８に設けた掛け爪部６が蝶番受け金具２の爪当たり突起部７に当接しているのでヒンジ軸は全方向で拘束されることになり．前面枠が閉じている時にはどのような方向に力をかけても蝶番部がガタツクことはない．又図に見られるように部品点数も多くなく本発明品は簡素で安価なものとなっている。
【実施例２】
【０００９】  図５は請求項２に記した本発明の他の実施例を示すもので請求項１における本発明品では前面枠が開いた状態において上部蝶番部にヒンジ軸が外れる方向に力をかければ蝶番部にガタツキが生じると云う問題を少なくする為にヒンジ軸を半円形の切欠きがあるヒンジ軸３‘とし．軸導入開口部４’の巾を同軸の切欠き部のみが通過できる巾まで狭くし軸受け半円凹部の抱き角を１８０度以上にしたもので、請求項２の本発明品を使用した場合には前面枠の装脱着操作は切欠きヒンジ軸３’が通過できる角度方向からのみしか出来ないが一度嵌合状態になると嵌合抱き角が１８０度以上になるので前面枠開時の蝶番軸部の拘束性は向上する。
【実施例３】
【００１０】  図６と図７は本発明の請求項３の実施例の上面図と正面図であるが．請求項１におけるヒンジ軸と軸受け半円凹部及び軸導入開口部の配置を上下入れ替え即ちヒンジ軸３を蝶番受け金具２‘側に固着し．軸受け半円凹部５と軸受け導入開口部４“を前枠支持金具８’側に設けてなる構成の蝶番にしたもので．この構成においては掛け爪部６の位置が図１の場合と大きく異なるがヒンジ軸３を軸受け半円凹部５‘でしっかり拘束する為には図６に示すような配置になるのであってその働きは図１の場合と同じである。【００１１】  遊技台の蝶番に以上のように構成された本発明品を採用すれば前面枠の装着作業が容易にして安価な遊技台の蝶番を提供することが出来る。
【図面の簡単な説明】
【００１２】
【図１】本発明品を取り付けた遊技台の見取り図である。
【図２】本発明の実施例１の上面図である。
【図３】本発明の実施例１の正面図である。
【図４】本発明の実施例１の操作状態の上面図である。
【図５】本発明の実施例２の上面図である。
【図３】本発明の実施例３の上面図である。
【図４】本発明の実施例３の正面図である。
【符号の説明】
【００１３】１      外枠
２      蝶番受け金具
３      ヒンジ軸
４      軸導入開口部
５      軸受け半円凹部
６      掛け爪部
７      爪当たり突起部
８      前枠支持金具
９      前面枠
１０    下部ヒンジ軸
１１    蝶番軸心
１２    下部支持金具
１３    下受け金具
１４    矢印
１５    矢印
【図１】
2006181313.tif 000003
【図２】
2006181313.tif 000004
【図３】
2006181313.tif 000005
【図４】
2006181313.tif 000006
【図５】
2006181313.tif 000007
【図６】
2006181313.tif 000008
【図７】
2006181313.tif 000009
【手続補正書】
【提出日】平成17年2月22日(2005.2.22)
【手続補正１】
【補正対象書類名】明細書
【補正対象項目名】００１２
【補正方法】変更
【補正の内容】
【００１２】
【図１】本発明品を取り付けた遊技台の見取り図である。
【図２】本発明の実施例１の上面図である。
【図３】本発明の実施例１の正面図である。
【図４】本発明の実施例１の操作状態の上面図である。
【図５】本発明の実施例２の上面図である。
【図６】本発明の実施例３の上面図である。
【図７】本発明の実施例３の正面図である。